(57)【要約】【課題】  水不溶性の着色剤としてカーボンブラックを含有し、且つ、着色剤の含有量が同じであっても黒色の印刷濃度、特にインク受容層を有さない記録メディアに付着させたとき、又は記録したときの黒色の印刷濃度が高い水性インクの提供。【解決手段】  水、カーボンブラック、分散剤、有機溶剤、及び樹脂を含有するインクであって、上記カーボンブラックのＢＥＴ比表面積が８０ｍ２/ｇ以上であり、上記の有機溶剤が、ヒドロキシ基を０〜１個有するＣ８−Ｃ１０グリコールエーテルであり、上記の樹脂は分散剤とは異なる化合物であり、且つ、その酸価が０ｍｇＫＯＨ／ｇより大きく１００ｍｇＫＯＨ／ｇ未満であるインクにより、上記の課題を解決できた。【選択図】なし【特許請求の範囲】
【請求項１】
水、カーボンブラック、分散剤、有機溶剤、及び樹脂を含有するインクであって、
上記カーボンブラックのＢＥＴ比表面積が８０ｍ２/ｇ以上であり、
上記の有機溶剤が、ヒドロキシ基を０〜１個有するＣ８−Ｃ１０グリコールエーテルであり、
上記の樹脂は分散剤とは異なる化合物であり、且つ、その酸価が０ｍｇＫＯＨ／ｇより大きく１００ｍｇＫＯＨ／ｇ未満であるインク。
【請求項２】
粘度調整剤をさらに含有する、請求項１に記載のインク。
【請求項３】
界面活性剤をさらに含有する、請求項１又は２に記載のインク。
【請求項４】
請求項１〜３のいずれか一項に記載のインクの液滴を、インクジェットプリンタから吐出させて記録メディアに付着させることにより記録を行うインクジェット記録方法。
【請求項５】
請求項１〜４のいずれか一項に記載のインクが付着した、記録メディア。
【請求項６】
請求項１〜３のいずれか一項に記載のインクを含有するインクタンク。
【請求項７】
請求項６に記載のインクタンクを有するインクジェットプリンタ。
【発明の詳細な説明】
【技術分野】
【０００１】
本発明はカーボンブラックを含有するインク、そのインクを用いるインクジェット記録方法、そのインクが付着した記録メディア、そのインクを含有するインクタンク、そのインクタンクを有するインクジェットプリンタに関する。
【背景技術】
【０００２】
インクジェットプリンタを用いる記録方法（インクジェット記録方法）は、インクの小液滴を発生させ、これを種々の記録メディア（紙、フィルム、布帛等）に付着させて記録を行う方法である。近年では産業用途としてのインクジェット印刷の需要も高まっている。
ブラックインクは、文字を含む記録画像の印刷に、最も多用されるインクである。また、その記録画像には、高い印刷濃度が求められている。インクジェットインクが含有する着色剤は、水溶性の染料と、水不溶性の染料若しくは顔料に大別される。これらのうち、後者の着色剤を含有する水性インクは、着色剤がインク中に溶解せず、分散している分散インクである。ブラックインクに使用する水不溶性の着色剤としては、カーボンブラックが汎用されている。記録メディアとして紙を使用する産業用途のインクジェット印刷においてはアート紙、コート紙等の、インク受容層を有さない塗工紙のような記録メディアが、通常は使用される。インク受容層を有さない記録メディアは、インク受容層を有する記録メディアと比較して、吸収できるインクの量が少ない。この理由から、インク受容層を有さない記録メディアにおいて印刷濃度を向上することが難しく、これが大きな問題となっている。印刷濃度は、インク中の着色剤の含有量を多くすることにより、ある程度向上させることができる。しかし、水不溶性の着色剤を含有する分散インクにおいて、固形分である着色剤の含有量の増加は、インクの分散安定性を低下させる要因となる。このため、水不溶性の着色剤を含有し、且つ、着色剤の含有量が同じであっても、より高い印刷濃度を有する分散インクが強く求められている。
特許文献１〜３には、カーボンブラックを含有するインクが開示されている。
【先行技術文献】
【特許文献】
【０００３】
【特許文献１】特開２０１１−１８４５４０号公報
【特許文献２】特開２０１０−０６５１３１号公報
【特許文献３】特開２００５−２６３９７１号公報
【発明の概要】
【発明が解決しようとする課題】
【０００４】
水不溶性の着色剤としてカーボンブラックを含有し、且つ、着色剤の含有量が同じであっても黒色の印刷濃度、特にインク受容層を有さない記録メディアに付着させたとき、又は記録したときの黒色の印刷濃度が高い水性インクの提供を課題とする。
【課題を解決するための手段】
【０００５】
上記の課題を解決するため、本発明者らは鋭意検討を行った。その結果、下記１）〜７）に記載のインク、インクジェット記録方法及び記録メディアにより、上記の課題を解決できることを見出し、本発明を完成させた。すなわち、本発明は以下の１）〜７）に関する。
１）
水、カーボンブラック、分散剤、有機溶剤、及び樹脂を含有するインクであって、
上記カーボンブラックのＢＥＴ比表面積が８０ｍ２/ｇ以上であり、
上記の有機溶剤が、ヒドロキシ基を０〜１個有するＣ８−Ｃ１０グリコールエーテルであり、
上記の樹脂は分散剤とは異なる化合物であり、且つ、その酸価が０ｍｇＫＯＨ／ｇより大きく１００ｍｇＫＯＨ／ｇ未満であるインク。
２）
粘度調整剤をさらに含有する、上記１）に記載のインク。
３）
界面活性剤をさらに含有する、上記１）又は２）に記載のインク。
４）
上記１）〜３）のいずれか一項に記載のインクの液滴を、インクジェットプリンタから吐出させて記録メディアに付着させることにより記録を行うインクジェット記録方法。
５）
上記１）〜４）のいずれか一項に記載のインクが付着した、記録メディア。
６）
上記１）〜３）のいずれか一項に記載のインクを含有するインクタンク。
７）
上記６）に記載のインクタンクを有するインクジェットプリンタ。
【発明の効果】
【０００６】
本発明により、水不溶性の着色剤としてカーボンブラックを含有し、且つ、着色剤の含有量が同じであっても黒色の印刷濃度、特にインク受容層を有さない記録メディアに付着させたとき、又は記録したときの黒色の印刷濃度が高い水性インクを提供できた。
【発明を実施するための形態】
【０００７】
また、本明細書中、「％」及び「部」については、特に断りのない限り、実施例等も含めていずれも質量基準で記載する。
また、本明細書中、含有量を記載するときは、特に断りの無い限りインクの総質量に対する含有量を意味する。
【０００８】
［カーボンブラック］
上記カーボンブラックは、ＢＥＴ比表面積が通常８０ｍ２/ｇ以上、好ましくは８５ｍ２/ｇ以上、より好ましくは９０ｍ２/ｇ以上である。そのようなカーボンブラックを用いることにより、高い印刷濃度を得ることができる。そのようなカーボンブラックであれば、サーマルブラック、アセチレンブラック、オイルファーネスブラック、ガスファーネスブラック、ランプブラック、ガスブラック、及びチャンネルブラック等のいずれであっても使用できる。
カーボンブラックは、ＢＥＴ比表面積が大きくなればなるほど、印刷濃度が高くなる傾向がある。このため、ＢＥＴ比表面積の上限は、特に制限されない。しかしながら、ＢＥＴ比表面積を増大させ続けても、印刷濃度は途中で頭打ちとなり、印刷濃度が永久に増加することはない。印刷濃度が頭打ちとなるときのＢＥＴ比表面積は通常３００ｍ２/ｇ以下、好ましくは２５０ｍ２/ｇ以下、より好ましくは２００ｍ２/ｇ以下である。このため、最適なカーボンブラックのＢＥＴ比表面積の上限はその程度で十分である。
上記のカーボンブラックの具体例としては、例えば、オリオン・エンジニアドカーボンズ社製のＰＲＩＮＴＥＸ  ６０、８５、７５、５０Ｌ、ａｌｐｈａ、Ｐ、５５、ＦＰ、Ｆ  ａｌｐｈａ、Ｌ、ＨＩＢＬＡＣＫ  ３０、３０Ｌ、４０Ｌ、４５ＬＢ、ＮＥＲＯＸ  ５０５（９７）、５１０、６００、６０５（１２３）、ＳＰＥＣＩＡＬ  ＢＬＡＣＫ  ５５０、４、４Ａ；三菱ケミカル株式会社製のＭＡ７７、ＭＡ７、ＭＡ８、ＭＡ１００、ＭＡ１００Ｒ、ＭＡ１００Ｓ、ＭＣＦ８８、ＭＡ６００、＃１０００、１０００Ｎ、７５０Ｂ、６５０Ｂ、５２、４７、４５、４５Ｌ、４４、４０、ＢＩＲＬＡ  ＣＡＲＢＯＮ社製のＲａｖｅｎ  ２３５０  Ｕｌｔｒａ、２０００、１３００  Ｕｌｔｒａ、１２５５、１２５０、１２００、１１９０  Ｕｌｔｒａ、１１８５  Ｕｌｔｒａ、１１８０、１１７０、１１００  Ｕｌｔｒａ、ＦＣ１等が挙げられる。なお、括弧内の数値は、実施例で使用したカーボンブラックを抜粋し、そのＢＥＴ比表面積（単位はｍ２/ｇ）を記載した。
なお、上記カーボンブラックは、化学的に表面を修飾したカーボンブラック、すなわち自己分散性のカーボンブラックを含まない。
【０００９】
［分散剤］
上記の分散剤としては特に制限されず、公知の分散剤が使用できる。分散剤は、カーボンブラックをインク中に分散する目的で使用する。分散剤としては、カルボキシ基、スルホ基、リン酸基等の、遊離の形で酸性を示す官能基を有する分散剤が好ましい。それらの中ではスチレン、（メタ）アクリレート、及び（メタ）アクリル酸から選択されるモノマー（好ましくは、２種類以上のモノマー、より好ましくは２〜６種類のモノマー、より好ましくは２〜４種類のモノマー、さらに好ましくは２〜３種類のモノマー）から構成される重合体が好ましい。
なお、本明細書において（メタ）アクリレートとは、アクリレート及びメタクリレートの両方を含む意味で使用し、（メタ）アクリル酸等も同様である。
（メタ）アクリレートとしてはアルキル（メタ）アクリレート、及びアリールアルキル（メタ）アクリレートから選択されるモノマーが好ましく、アルキルメタクリレート、及びアリールアルキルメタクリレートから選択されるモノマーが好ましい。
アルキル（メタ）アクリレートとしてはＣ１−Ｃ４アルキル（メタ）アクリレートが好ましく、Ｃ１−Ｃ４アルキルメタクリレートがより好ましく、メチルメタクリレート及びブチルメタクリレートから選択されるアルキル（メタ）アクリレートがさらに好ましく、ｎ−ブチルメタクリレートが特に好ましい。
アリールアルキル（メタ）アクリレートとしてはＣ６−Ｃ１０アリールＣ１−Ｃ４アルキル（メタ）アクリレートが好ましく、Ｃ６−Ｃ１０アリールＣ１−Ｃ４アルキルメタクリレートがより好ましく、フェニルＣ１−Ｃ４アルキルメタクリレートがさらに好ましく、ベンジルメタクリレートが特に好ましい。
上記の重合体としては、アルキル（メタ）アクリレート、アリールアルキル（メタ）アクリレート、及び（メタ）アクリル酸から少なくとも１種類ずつ選択されるモノマーからなる重合体；及び、スチレン−（メタ）アクリル系の重合体から選択される重合体が好ましい。
【００１０】
上記アルキル（メタ）アクリレート、アリールアルキル（メタ）アクリレート、及び（メタ）アクリル酸から少なくとも１種類ずつ選択されるモノマーからなる重合体としては、Ａブロック及びＢブロックの２つのブロックから構成されるＡ−Ｂブロックポリマーが好ましい。
Ａブロックはアリールアルキル（メタ）アクリレートで構成されるのが好ましく、（メタ）アクリル酸を含むことができる。このときの（メタ）アクリル酸の含有量は、アリールアルキル（メタ）アクリレートに対して通常０〜５モル％、好ましくは０〜３モル％、より好ましくは０〜１モル％、さらに好ましくは０〜０．１モル％である。
Ｂブロックはアルキル（メタ）アクリレート、及び（メタ）アクリル酸から構成される共重合体が好ましい。
上記Ａ−Ｂブロックポリマーとしては、水不溶性ポリマーが好ましい。本明細書において水不溶性ポリマーとは、２５℃の水１リットルに対する溶解度が通常５ｇ以下、好ましくは３ｇ以下、より好ましくは１ｇ以下、さらに好ましくは０．５ｇ以下を意味する。溶解度の下限は０ｇを含む。そのようなＡ−Ｂブロックポリマーとしては、例えば、国際公開２０１３／１１５０７１号ガゼットが開示するリビングラジカル重合法により得られるＡ−Ｂブロックポリマーが挙げられる。
上記の分散剤は、国際公開２０１３／１１５０７１号ガゼットが開示するＡ−Ｂブロックポリマーと、好ましいもの等を含めて同じものが挙げられる。また、Ａ−Ｂブロックポリマーの製造方法等についても同様である。
【００１１】
スチレン−（メタ）アクリル系の重合体としては、ＢＡＳＦ社製のＪｏｎｃｒｙｌシリース゛が好ましい。
【００１２】
分散剤の酸価は通常８０〜１４０ｍｇＫＯＨ／ｇ、好ましくは９０〜１３０ｍｇＫＯＨ／ｇ、より好ましくは１００〜１２０ｍｇＫＯＨ／ｇである。酸価をこれらの範囲にすることにより、分散性、及び保存安定性を良好にできる。
【００１３】
上記の分散剤は、カーボンブラックと混合した状態で使用することができる。また、カーボンブラックの表面に分散剤を被覆させた状態として使用することもできる。また、これらの両方を併用することもできる。本明細書において「被覆」とは、カーボンブラックの表面の全てを分散剤で覆った状態、及び、カーボンブラックの表面の一部を分散剤で覆った状態の両方を意味する。
分散剤を使用するとき、カーボンブラックの総質量に対する分散剤の総質量の比は通常０．１〜１．０、好ましくは０．１〜０．６、より好ましくは０．２〜０．５である。
【００１４】
上記の分散液が含有する粒子の平均粒子径（Ｄ５０）は通常５０ｎｍ〜２５０ｎｍ、好ましくは６０ｎｍ〜１５０ｎｍである。このような粒子径の範囲とすることにより、分散安定性、及び吐出安定性が優れ、記録画像の印刷濃度を高くすることができる。本明細書において、平均粒子径とは、レーザ光散乱法を用いて測定した、液中の粒子の平均粒子径を意味する。
【００１５】
［有機溶剤］
上記の有機溶剤は、ヒドロキシ基を０〜１個有する、総炭素数がＣ８−Ｃ１０グリコールエーテルである。
その具体例としては、例えば、エチレングリコールヘキシルエーテル、エチレングリコールｎ−ブチルエーテルアセテート、ジエチレングリコールモノイソブチルエーテル、ジプロピレングリコールジメチルエーテル、ジエチレングリコールジエチルエーテル、ジエチレングリコールモノブチルエーテル、トリエチレングリコールエチルエーテル、ジプロピレングリコールｎ−プロピルエーテル、ジエチレングリコールモノヘキシルエーテル、５−メチル−４，７−ジオキサウンデカン−２−オール、ジエチレングリコールｎ−ブチルエーテルアセテート、トリプロピレングリコールメチルエーテル、ブチルトリグリコール、メチルテトラグリコール等が挙げられる。
【００１６】
上記のうち、有機溶剤としてはヒドロキシ基を１個有する、総炭素数がＣ８−Ｃ１０グリコールエーテルが好ましい。
【００１７】
上記インクの総質量中における、有機溶剤の総含有量は通常１％〜１２％、好ましくは１．５％〜１１％、より好ましくは２％〜１０％程度である。
【００１８】
［樹脂］
上記の樹脂は、分散剤とは異なる化合物である。「分散剤とは異なる化合物」とは、例えば、分散剤が特定のモノマーからなるＡ−Ｂブロックポリマーであるとき、同じモノマーから構成されるランダムコポリマー、Ａ−Ｂ−Ａブロックポリマー等は、分散剤とは異なる化合物であることから、樹脂として使用できることを意味する。また、分散剤が特定のモノマーからなるＡ−Ｂブロックポリマーであるとき、樹脂もまたＡ−Ｂブロックポリマーであったとしても、モノマーの種類が異なるポリマー、モノマーの比率が異なるポリマー等は、やはり分散剤とは異なる化合物であり、樹脂として使用できる。すなわち、分散剤として上記した化合物であっても、分散剤として使用した化合物以外の化合物は、樹脂として使用することができる。
樹脂としてはランダム共重合体、ブロック共重合体、交互共重合体、及びグラフト共重合体のいずれの形態も使用することができる。
樹脂の具体例としては、例えば、（メタ）アクリル共重合体、スチレン／（メタ）アクリル共重合体、ポリスチレン、（メタ）アクリルアミド共重合体、スチレン／無水マレイン酸共重合体、ポリウレタン系、ポリエチレン系、酢酸ビニル／エチレン共重合体、塩化ビニル／エチレン共重合体、ポリブタジエン系、エポキシ系、シリコーン系等から選択される樹脂；及び、これらの共重合樹脂が挙げられる。
上記の樹脂は市販品として、又は公知の方法により合成することにより得ることができる。その一例としては、例えば、（メタ）アクリル酸、（メタ）アクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、塩化ビニリデン等のモノマーの単独重合、又は、共重合により合成する方法が挙げられる。
上記の樹脂は酸価を有する。樹脂の酸価は通常０ｍｇＫＯＨ／ｇより大きく１００ｍｇＫＯＨ／ｇ未満、好ましくは１ｍｇＫＯＨ／ｇ〜９０ｍｇＫＯＨ／ｇ、より好ましくは３ｍｇＫＯＨ／ｇ〜８０ｍｇＫＯＨ／ｇ、さらに好ましくは６ｍｇＫＯＨ／ｇ〜７０ｍｇＫＯＨ／ｇ、場合により好ましくは１０ｍｇＫＯＨ／ｇ〜７０ｍｇＫＯＨ／ｇ、特に好ましくは１３ｍｇＫＯＨ／ｇ〜６５ｍｇＫＯＨ／ｇである。
上記の樹脂は水溶液、又は、水系エマルションとして使用することができる。これらの中では水系の樹脂エマルションとして使用するのが好ましい。
合成により得られる樹脂としては、例えば、国際公開２０１５／１４７１９２号ガゼットの調製例３〜５として開示された樹脂エマルションが挙げられる。
樹脂の市販品としては、例えば、ＢＡＳＦ社製のジョンクリル  ＰＤＸ−７４３０（３０）、ＰＤＸ−７１４５（３２）、ＰＤＸ−７３２６（３８）、５３７Ｊ（４０）、７８０（４６）、７６１０（５０）、３５２Ｊ（５１）、３５２Ｄ（５１）、７７５（５５）、ＰＤＸ−７３４１（５１）、７４Ｊ（５１）、７１００（５１）、３９０（５４）、ＰＤＸ−７５１１（５４）、７６４１（６０）、ＰＤＸ−７７００（６０）、７６００（６０）、５３８Ｊ（６１）、ＰＤＸ−７５３８（６２）、ＰＤＸ−７６４３（６４）、ＰＤＸ−６１０２Ｂ（６５）、ＰＤＸ−６１２４（６５）等が挙げられる。なお、括弧内の数値は酸価を示し、単位は「ｍｇＫＯＨ／ｇ」である。
樹脂の酸価は公知の方法、例えば滴定法により測定することができる。また、製造メーカーのカタログに酸価が記載されているときは、その数値を採用することもできる。
【００１９】
［粘度調整剤］
上記インクは、粘度調整剤をさらに含有することができる。産業用インクジェットプリンタは、搭載するプリンタヘッド（インクを吐出するヘッド）の仕様に基づき、通常は、吐出できるインクの粘度範囲が決まっている。このため、インクに粘度調整剤を加え、その粘度を適正な範囲に調整することができる。
粘度調整剤としては、インクの粘度を調整できる物質であれば特に制限されず、公知の物質を使用することができる。その具体例としては、例えば、水溶性有機溶剤（この中に上記「有機溶剤」は含まれない。）、糖類等が挙げられる。
その具体例としては、例えば、イソプロピルジグリコール、ジプロピレングリコールモノメチルエーテル、エタノール、３−メチル−１，５−ペンタンジオール、ジエチレングリコールジメチルエーテル、プロピレングリコールモノメチルエーテル、３−メチル−１，３−ブタンジオール、トリメチロールプロパン、Ｎ−メチル−２−ピロリドン、１，２−ブタンジオール、３−エチル−３−ヒドロキシメチルオキセタン、１，５−ペンタンジオール、２−メチル−１，３−プロパンジオール、ジプロピレングリコール、１，３−ブタンジオール、メチルジグリコール、メチルトリグリコール、２−ピロリドン、プロピレングリコール、１，４−ブタンジオール、ジエチレングリコール、エチレングリコール、トリエチレングリコール、グリセリン、ジグリセリン、青木油脂工業製のグリセレス−３、グリセレス−２０等が挙げられる。
水溶性有機溶剤の総含有量は通常０％〜５５％、好ましくは５％〜４０％、より好ましくは１０％〜３０％程度である。
【００２０】
［界面活性剤］
上記インクは、界面活性剤をさらに含有することができる。産業用インクジェットプリンタの印刷速度は、通常可変である。このため、印刷速度に基づき、インクの表面張力を適正に調整することが好ましい。インクの表面張力は、界面活性剤をインクに加えることにより、調整することができる。
界面活性剤としてはアニオン、カチオン、ノニオン、両性、シリコーン系、及びフッ素系の各界面活性剤が挙げられ、これらの中から１種類以上を選択して使用することができる。これらの中ではノニオン、及びシリコーン系から選択される界面活性剤が好ましく；ノニオン、及びシリコーン系の中からシリコーン系を少なくとも１種類以上選択するのがより好ましく；シリコーン系の中から選択される、１種類以上の界面活性剤がさらに好ましい。
【００２１】
アニオン界面活性剤としてはアルキルスルホカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸、ジオクチルスルホ琥珀酸塩等が挙げられる。
【００２２】
カチオン界面活性剤としては２−ビニルピリジン誘導体、ポリ４−ビニルピリジン誘導体等が挙げられる。
【００２３】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００２４】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；日信化学株式会社製のサーフィノール  １０４、１０５ＰＧ５０、８２、４２０、４４０、４６５、４８５、オルフィン  ＳＴＧ；ポリグリコールエーテル系（例えばＳＩＧＭＡ−ＡＬＤＲＩＣＨ社製のＴｅｒｇＩｔｏｌ  １５−Ｓ−７等）；等が挙げられる。
これらの中では、アセチレングリコール系界面活性剤が好ましい。
【００２５】
シリコーン系界面活性剤としては、例えば、ポリエーテル変性シロキサン、ポリエーテル変性ポリジメチルシロキサン等が挙げられる。その一例としては、ＢＹＫ−３４５、ＢＹＫ−３４８（ビックケミー社製、ポリエーテル変性ポリジメチルシロキサン）、ＢＹＫ−３４７（同、ポリエーテル変性シロキサン）、ＢＹＫ−３４９、ＢＹＫ−３４５５等が挙げられる。
【００２６】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。その一例としては、ＤｕＰｏｎｔ社製のＺｏｎｙｌ  ＴＢＳ、ＦＳＰ、ＦＳＡ、ＦＳＮ−１００、ＦＳＮ、ＦＳＯ−１００、ＦＳＯ、ＦＳ−３００、Ｃａｐｓｔｏｎｅ  ＦＳ−３０、ＦＳ−３１；オムノバ社製のＰＦ−１５１Ｎ、ＰＦ−１５４Ｎ；ＤＩＣ社製のＦ−１１４、Ｆ−４１０、Ｆ−４４４、ＥＸＰ．ＴＦ−２０６６、ＥＸＰ．ＴＦ−２１４８、ＥＸＰ．ＴＦ−２１４９、Ｆ−４３０、Ｆ−４７７、Ｆ−５５２、Ｆ−５５３、Ｆ−５５４、Ｆ−５５５、Ｆ−５５６、Ｆ−５５７、Ｆ−５５８、Ｆ−５５９、Ｆ−５６１、Ｆ−５６２、Ｒ−４０、Ｒ−４１、ＲＳ−７２−Ｋ、ＲＳ−７５、ＲＳ−７６−Ｅ、ＲＳ−７６−ＮＳ、ＲＳ−７７、ＥＸＰ．ＴＦ−１５４０、ＥＸＰ．ＴＦ−１７６０；ビックケミー社製のＢＹＫ−３４４０、ＢＹＫ−３４４１等が挙げられる。
【００２７】
上記インクは、必要に応じて上記した以外の成分を、インク調製剤としてさらに含有することができる。インク調製剤としては、例えば、防黴剤、防腐剤、ｐＨ調整剤、キレート試薬、防錆剤、水溶性紫外線吸収剤、水溶性高分子化合物、酸化防止剤等が挙げられる。インク調製剤の総含有量は通常０％〜３０％、好ましくは０％〜１０％、より好ましくは０％〜５％程度である。
【００２８】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン又はその塩等が挙げられる。
【００２９】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。有機ハロゲン系化合物の具体例としては、例えばペンタクロロフェノールナトリウムが挙げられる。ピリジンオキシド系化合物の具体例としては、例えば２−ピリジンチオール−１−オキサイドナトリウムが挙げられる。イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤の具体例として、無水酢酸ナトリウム、ソルビン酸ナトリウム又は安息香酸ナトリウム、アーチケミカル社製のプロキセル  ＧＸＬ（Ｓ）、及びプロキセル  ＸＬ−２（Ｓ）等が挙げられる。
【００３０】
ｐＨ調整剤としては、調製されるインクに悪影響を及ぼさずに、インクのｐＨを例えば５〜１１の範囲に制御できるものであれば任意の物質を使用することができる。その具体例としては、例えばジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；あるいは炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基等が挙げられる。
【００３１】
キレート試薬の具体例としては、例えばエチレンジアミン四酢酸二ナトリウム、ニトリロ三酢酸ナトリウム、ヒドロキシエチルエチレンジアミン三酢酸ナトリウム、ジエチレントリアミン五酢酸ナトリウム又はウラシル二酢酸ナトリウム等が挙げられる。
【００３２】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール又はジシクロヘキシルアンモニウムナイトライト等が挙げられる。
【００３３】
水溶性紫外線吸収剤の例としては、例えばスルホ化したベンゾフェノン系化合物、ベンゾトリアゾ−ル系化合物、サリチル酸系化合物、桂皮酸系化合物又はトリアジン系化合物が挙げられる。
【００３４】
水溶性高分子化合物の具体例としては、ポリエチレングリコール、ポリビニルアルコール、セルロース誘導体、ポリアミン又はポリイミン等が挙げられる。
【００３５】
酸化防止剤の例としては、例えば、各種の有機系及び金属錯体系の褪色防止剤を使用することができる。上記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類等が挙げられる。
【００３６】
上記インクは、公知の方法により調製することができる。
その一例としてはカーボンブラックの分散液を調製し、その分散液に有機溶剤、及び必要に応じて各種のインク調製剤を加えて混和する方法が挙げられる。
分散液の調製方法としては、例えば、２−ブタノン等の有機溶剤に分散剤を溶解し、中和剤の水溶液を加えて乳化液を調製する。得られた乳化液にカーボンブラックを加えて分散処理を行い、液を得る。このようにして得られた液から有機溶剤と、一部の水を減圧留去することにより、カーボンブラックを含有する分散液を得ることができる。
分散処理は、例えば、上記の分散剤の溶液若しくは乳化液と、カーボンブラックとをサンドミル（ビーズミル）、ロールミル、ボールミル、ペイントシェーカー、超音波分散機、マイクロフルイダイザー等に入れて、分散を行う。サンドミルを用いるときは、粒子径が０．０１ｍｍ〜３ｍｍ程度のビーズを使用することができる。ビーズの充填率、分散時間、及びカーボンブラックの含有量等を調整することにより、分散処理の効率を調整することができる。
上記のようにして得られた分散液は、濾過及び／又は遠心分離をすることにより、含有する粒子の粒子径の大きさを、一定の範囲に揃えることができる。
【００３７】
上記インクをインクジェット記録に用いるときは、インクが含有する金属陽イオンの塩化物（例えば塩化ナトリウム）、硫酸塩（例えば硫酸ナトリウム）等の無機不純物の含有量の少ないものを用いるのが好ましい。無機不純物の含有量の目安は、おおよそカーボンブラックの総質量に対して１％以下程度であり、下限は分析機器の検出限界以下、すなわち０％とすることができる。無機不純物の少ないインクを得る方法としては、例えば、インクを逆浸透膜で精製する方法；カーボンブラックをメタノール等のＣ１−Ｃ４アルコール及び水の混合溶媒中等で懸濁精製する方法；及び、イオン交換樹脂を用いて、インク中の無機不純物を交換吸着する方法等が挙げられる。
【００３８】
上記インクのｐＨは、保存安定性を向上させる目的で通常ｐＨ５〜ｐＨ１１、好ましくはｐＨ７〜ｐＨ１０である。インクの表面張力は通常１０〜５０ｍＮ／ｍ、好ましくは２０〜４０ｍＮ／ｍである。インクの粘度は通常３０ｍＰａ・ｓ以下、好ましくは２０ｍＰａ・ｓ以下、下限は０．１ｍＰａ・ｓ程度である。
【００３９】
上記インクは、各種の分野において使用することができる。その一例としては、筆記用水性インク、水性印刷インク、情報記録インク、繊維の捺染等が挙げられる。また、インクジェット記録が行える分野においては、インクジェットインクとして用いるのが好ましい。
【００４０】
上記インクジェット記録方法は、上記インクの液滴を記録信号に応じて吐出させ、記録メディアに付着させることにより記録を行う方法である。記録の際に使用するインクノズル等については特に制限はなく、目的に応じて選択することができる。
【００４１】
記録方式は特に制限されず、公知の方式を使用できる。その一例としては、例えば、電荷制御方式；ドロップオンデマンド方式（圧力パルス方式）；音響インクジェット方式；サーマルインクジェット方式等が挙げられる。
【００４２】
上記の記録メディアは、上記インクにより着色され得る物質であれば、物質に特に制限はない。その一例としては、例えば、紙、フィルム、繊維や布（セルロース、ナイロン、羊毛等）、皮革、及びカラーフィルター用基材等が挙げられる。
【００４３】
記録メディアは、インク受容層を有する記録メディアと、インク受容層を有さない記録メディアに大別される。その一例としては、繊維；インク受容層を有する紙；及び、インク受容層を有さないインク難吸収性若しくはインク非吸収性の記録メディア等が挙げられる。
インク受容層を有する紙としては、インクジェット専用紙が挙げられる。
インク難吸収性の記録メディアとしては、例えば普通紙；グラビア印刷やオフセット印刷等に用いられる記録メディア；微塗工紙、アート紙、コート紙、マット紙、キャスト紙等の塗工紙が挙げられる。
インク非吸収性の記録メディアとしては塩化ビニルシート、高分子シート、ガラス、ゴム等が挙げられる。
これらの中では、インク受容層を有さないインク難吸収性の記録メディアが好ましい。
インク受容層は、例えば、記録メディアにカチオン系ポリマーを含浸あるいは塗工する方法；又は多孔質シリカ、アルミナゾルや特殊セラミックス等のインク中の色素を吸収し得る無機微粒子をポリビニルアルコールやポリビニルピロリドン等の親水性ポリマーと共に上記基材表面に塗工する方法等により設けることができる。
【００４４】
記録メディアが繊維のときは、ポリエステル、セルロース、ポリアミド、及び天然繊維よりなる群から選択される繊維、及びこれらの繊維を含有する混紡繊維が挙げられる。これらの繊維は、インク受容層を有することができる。インク受容層は、公知の方法で繊維に設けることができる。また、インク受容層を有する繊維は、例えば、布帛等の形で市販されている。
ポリエステル繊維としては、ポリエチレンテレフタレート繊維が挙げられる。
セルロース繊維としては、綿、木綿、レーヨン、トリアセテート、ジアセテート等の繊維が挙げられる。
ポリアミド繊維としては、ナイロン繊維等が挙げられる。
天然繊維としては、絹、羊毛等が挙げられる。
【００４５】
上記インクジェット記録方法で記録メディアに記録を行うときは、上記インクを含有するインクタンクをインクジェットプリンタの所定の位置に装填し、上記の記録方法で記録する。
上記インクを含有するインクタンク、及び、当該インクタンクを含有するインクジェットプリンタも、本発明の範囲に含まれる。
上記インクジェット記録方法は、必要に応じてイエロー、ブルー、レッド、グリーン、バイオレット、及びオレンジの各顔料、若しくは染料から選択される着色剤を含有するインクと併用し、フルカラー記録をすることもできる。
産業用インクジェットプリンタは、印刷速度を高速にする目的で、ラインヘッド型のインクジェットプリンタの構成で、シングルパスでの印刷も好ましく行われる。上記インクにより、そのような印刷条件においても、着色剤の含有量が同じであっても黒色の印刷濃度、特にインク受容層を有さない記録メディアに付着させたとき、又は記録したときの黒色の印刷濃度が高い印刷画像を得ることができる。
【００４６】
上記した全ての成分は、そのうちの１種類を単独で含有することができるし、２種類以上を併用することもできる。
また、上記した全ての事項等について、好ましいもの同士の組み合わせはより好ましく、より好ましいもの同士の組み合わせはさらに好ましい。好ましいものとより好ましいものとの組み合わせ、及び、より好ましいものとさらに好ましいものとの組み合わせ等についても同様である。
【００４７】
上記のインクで記録することにより、微小な液滴を形成することができ、吐出性が良好である。また、インクが乾燥したときであっても再分散性が良好で、記録メディアに対する濡れ性も良好なインクを得ることができる。
また、インクの保存安定性と共に、分散液中のカーボンブラック微粒子の分散状態を安定化することができる。
また、上記のインクで記録された画像はモットリング現象を生じることがなく、ベタ埋まりが良好である。
また、上記のインクで記録された画像はにじみがなく、耐擦過性も優れる。
【実施例】
【００４８】
本発明を実施例によって具体的に説明するが、本発明は、以下の実施例によって限定されるものではない。また、各合成反応及び晶析等の操作は、特に断りのない限り、いずれも攪拌下に行った。
顔料固形分の測定が必要なときは、株式会社エイ・アンド・デイ社製、ＭＳ−７０を用いて、乾燥重量法により求めた。なお、実施例中の顔料固形分とは、乾燥重量法により求めた測定値から、顔料固形分のみの含有量を算出した換算値である。
【００４９】
［合成例１］：分散剤の合成。
国際公開２０１３／１１５０７１号ガゼットの「［合成例３］ブロック共重合体Ａの合成」に従い、重量平均分子量が２４，３００、ＰＤＩが１．４９の分散剤１３８ｇを得た。得られた分散剤は、Ａ−Ｂブロックポリマーであり、Ａブロックを構成するモノマーはベンジルメタクリレート、Ｂブロックを構成するモノマーはメタクリル酸、及びブチルメタクリレートの２種類である。
【００５０】
［合成例２］：樹脂エマルションの合成。
国際公開２０１５／１４７１９２号ガゼットの「［調製例３］ポリマーエマルション２の調製」に従い、酸価が１３ｍｇＫＯＨ／ｇ、固形分が２５％の樹脂エマルションを得た。得られた樹脂エマルションを、樹脂１とする。
【００５１】
［実施例１］：インクの調製。
合成例１で得た分散剤（６部）を、２−ブタノン（１５部）に溶解し、液を得た。この液に０．４５部の水酸化ナトリウムをイオン交換水（６０部）に溶解させた液を加え、１時間攪拌することにより乳化液を調製した。この乳化液、及びＮＥＲＯＸ  ６０５（２０部）をサンドグラインダーに入れ、１５００ｒｐｍで１０時間分散処理を行って液を得た。得られた液にイオン交換水（１００部）を滴下した後、ＡＤＶＡＮＴＥＣ社製のガラスファイバーフィルター  ＧＡ−１００で濾過することにより、濾液を得た。得られた濾液をエバポレータに入れ、２−ブタノン、及び水の一部を減圧留去し、顔料濃度が１２重量％になるようにイオン交換水を添加して分散液を得た。得られた分散液に１，２−ヘキサンジオール（５部）、ＡＥ６０９（３部）、プロピレングリコール（２０部）、ＢＹＫ−３４９（０．５部）、トリエタノールアミン（０．５部）、プロキセル  ＧＸＬ（ｓ）、及び水を加えて総量１００部とした液をおおよそ１時間撹拌した後、３μｍのメンブランフィルターで濾過することにより、実施例１のインクを得た。インクの調製は、インク中のカーボンブラックの含有量が５％となるように行った。
【００５２】
[実施例２〜５、比較例１〜３]
下記表１に示す組成に代える以外は実施例１と同様にして各実施例、及び各比較例のインクを調製した。各インク中のカーボンブラックの含有量は、いずれも同じ５％となるように調整した。
【００５３】
下記表１及び表２中の略号等は、以下の意味を有する。また、各表中の数値は含有量を意味し、単位は「部」である。
Ｎ３０５：ＮＥＲＯＸ  ３０５（ＢＥＴ比表面積７８ｍ２/ｇのカーボンブラック）。
Ｎ５０５：ＮＥＲＯＸ  ５０５。
Ｎ６０５：ＮＥＲＯＸ  ６０５。
＃１０００：（ＢＥＴ比表面積１８０ｍ２/ｇのカーボンブラック）。
Ｄｐ１：合成例１で得た分散剤１。
ＢＤＧ：ブチルジグリコール。
ＢＴＧ：ブチルトリグリコール。
ＴＰＧＭＥ：トリプロピレングリコールメチルエーテル。
ＩＰＤＧ：イソプロピルジグリコール。
樹脂１：上記の合成例２で得た樹脂エマルション。
ＰＤＸ−７５３８：ジョンクリル  ＰＤＸ−７５３８。
ＰＤＸ−７６１１：ジョンクリル  ＰＤＸ−７６１１（酸価１４５ｍｇＫＯＨ／ｇ）。
ＰＧ：プロピレングリコール。
ＢＹＫ：ＢＹＫ−３４９。
ＴＥＡ：トリエタノールアミン。
ＧＸＬ（ｓ）：プロキセル  ＧＸＬ（ｓ）。
水：イオン交換水。
【００５４】
【表１】
2020125453.tif 000002
【００５５】
上記のようにして得た実施例、及び比較例のインクについて、以下の［印刷濃度試験］を実施した。
［印刷濃度試験］
インクジェットプリンタ（ＥＰＳＯＮ株式会社製、商品名ＰＸ−２０５）を使用して、ＯＫトップコート（王子製紙株式会社製）に実施例、及び比較例の各インクの１００％Ｄｕｔｙ画像をベタ印刷した。得られた画像を室温で２４時間乾燥することにより、試験片を得た。得られた試験片のベタ画像をＸ−ｒｉｔｅ社製の濃度計、ｅＸａｃｔ  Ａｄｖａｎｃｅにて測色した。測色条件は、濃度基準にＩＳＯステータスＴ、視野角２°、光源Ｄ５０である。印刷濃度の測色値を、上記表１に示す。印刷濃度は数値が大きい方が、印刷濃度がより高いことを意味する。
【００５６】
表１から明らかなように、各実施例は、比較例に対して測色値が明らかに大きく、黒色の印刷濃度が高いことが分かった。
これらの結果から、本発明の特定の構成とすることにより、カーボンブラックの含有量が同じであっても、黒色の印刷濃度が高い画像が得られることが確認された。
【００５７】
下記表２に示す組成に代える以外は実施例１と同様にして各比較例のインクを調製した。各インク中のカーボンブラックの含有量は、いずれも同じ５％となるように調整した。
【００５８】
下記表２において追加された略号等は、以下の意味を有する。また、各表中の数値は含有量を意味し、単位は「部」である。
ＤＢＤＧ：ジブチルジグリコール（ジエチレングリコールジブチルエーテル、Ｃ１２グリコールエーテル）。
【００５９】
【表２】
2020125453.tif 000003
【００６０】
表２から明らかなように、比較例４の測色値は１．５６と小さく、各実施例と比較して黒色の印刷濃度が劣ることが分かった。
【産業上の利用可能性】
【００６１】
本発明のインクは、黒色の印刷濃度が高い記録画像を得ることができる。このため、各種の記録用インク、特にインク受容層を有さない紙用途のインクジェット記録用インクとして極めて有用である。